(57)【特許請求の範囲】
【請求項１】
第１の不揮発性メモリを具備した画像形成装置本体と、
前記画像形成装置本体に交換可能に設置されるとともに、第２の不揮発性メモリを具備した装置ユニットとを備え、
前記第１の不揮発性メモリは、前記装置ユニットに係わるリサイクル回数、稼働履歴及び作像条件に係わる情報が書き込まれる第１の情報記憶領域と、前記画像形成装置本体の使用開始に係わる情報が書き込まれる第２の情報記憶領域と、前記画像形成装置本体の製造時に定まる前記画像形成装置本体の製造に係わる情報、認識番号が書き込まれる第３の情報記憶領域とを複数種類有し、前記第２の不揮発性メモリは、前記装置ユニットのリサイクル回数を含むリサイクル稼働履歴に係る情報を有する稼働履歴に係わる情報が書き込まれる第１の情報記憶領域と、新品状態の前記装置ユニットの使用開始に係わる固定情報が書き込まれる第２の情報記憶領域と、前記装置ユニットの製造及び作像条件、認識番号に係わる情報が書き込まれる第３の情報記憶領域とを有し、
かつ、前記第１の不揮発性メモリとやり取りした情報に基づいて前記画像形成装置本体全体を最適な画像形成条件に調整する制御部を備え、
前記制御部は、前記装置ユニットが交換されたか否かを判別して前記装置ユニットが交換されたと判別した場合には、前記第２の不揮発性メモリから認識番号を読み込んで該認識番号が前記第１の不揮発性メモリ内の認識番号と一致するか否かを判別し、前記第２の不揮発性メモリ内の認識番号が前記第１の不揮発性メモリ内の認識番号と一致すると判別した場合には前記装置ユニット内のリサイクル回数に係わる情報と前記第１の不揮発性メモリ内のリサイクル回数に係わる情報とが一致するか否かを判別し、前記装置ユニット内のリサイクル回数に係わる情報と前記第１の不揮発性メモリ内のリサイクル回数に係わる情報とが一致しないと判別した場合には、前記装置ユニットがリサイクルされたものであるとし、
前記第２の不揮発性メモリから情報を読み込んで前記装置ユニットの使用開始フラグがなしであるか否かを判別し、前記装置ユニットの使用開始フラグがなしであると判別した場合には前記第２の不揮発性メモリの前記第２の情報記憶領域の使用開始フラグをセットし、前記第２の不揮発性メモリの前記第２の情報記憶領域に使用開始年月日を書き込んで前記第２の不揮発性メモリの前記第３の情報記憶領域内の製造に関わる情報と使用開始年月日を前記第１の不揮発性メモリの前記第２の情報記憶領域に書き込み、前記第２の不揮発性メモリの前記第３の情報記憶領域に書き込まれた作像条件に関わる情報を前記第１の不揮発性メモリの前記第１の情報記憶領域に書き込み、前記第２の不揮発性メモリの前記第１の情報記憶領域に書き込まれた情報を前記第１の不揮発性メモリの前記第１の情報記憶領域に書き込み、
前記装置ユニットがリサイクルされたものであるとした場合には前記装置ユニットの認識番号に対応した前記第２の不揮発性メモリの前記第３の情報記憶領域内の作像条件に係る情報を前記第１の不揮発性メモリの前記第１の情報記憶領域に書き込んで前記第２の不揮発性メモリの前記第１の情報記憶領域に書き込まれた情報を前記第１の不揮発性メモリの前記第１の情報記憶領域に書き込み、
前記装置ユニット内のリサイクル回数に係わる情報と前記第１の不揮発性メモリ内のリサイクル回数に係わる情報とが一致すると判別した場合には前記装置ユニットがリサイクルされたものでなく別の機種で使用された装置ユニットであるか別のメーカで製造された装置ユニットであると判別して、前記装置ユニットの使用開始年月日を前記第１の不揮発性メモリの前記第２の情報記憶領域に書き込んで前記第２の不揮発性メモリの前記第３の情報記憶領域内の製造に関わる情報を前記第１の不揮発性メモリの前記第２の情報記憶領域に書き込み、前記第２の不揮発性メモリの前記第３の情報記憶領域内の作像条件に係わる情報を前記第１の不揮発性メモリの前記第１の情報記憶領域に書き込んで前記第２の不揮発性メモリの前記第１の情報記憶領域に書き込まれた情報を前記第１の不揮発性メモリの前記第１の情報記憶領域に書き込むことを特徴とする画像形成装置。
【請求項２】
前記装置ユニットは、像担持体を帯電する帯電部と前記像担持体上に形成される潜像を現像する現像部と前記像担持体をクリーニングするクリーニング部のうちの少なくとも１つと、前記像担持体とが一体的に保持されたプロセスカートリッジであることを特徴とする請求項１に記載の画像形成装置。
【請求項３】
前記装置ユニットは、像担持体、前記像担持体を帯電する帯電部、前記像担持体上に形成される潜像を現像する現像部、前記像担持体上に形成されるトナー像を被転写材に転写する転写部、前記像担持体をクリーニングするクリーニング部のうちのいずれか１つ又は複数がユニット化されたものであることを特徴とする請求項１又は２に記載の画像形成装置。
【請求項４】
前記装置ユニットは、トナーが収納されたトナーカートリッジであることを特徴とする請求項１〜３のいずれかに記載の画像形成装置。
【請求項５】
前記第２の不揮発性メモリは、前記装置ユニットに対して着脱自在に形成されたＩＣタグであることを特徴とする請求項１〜４のいずれかに記載の画像形成装置。
【請求項６】
前記画像形成装置本体に電力を供給する電源部を備え、
前記第１の不揮発性メモリは、前記画像形成装置本体に対して着脱自在に設置されたＥＥＰＲＯＭ及びＳＲＡＭを備え、
前記電源部による前記画像形成装置本体への電力の供給が遮断されたときに、前記ＳＲＡＭに保持された情報を前記ＥＥＰＲＯＭに書込むことを特徴とする請求項１〜５のいずれかに記載の画像形成装置。
【請求項７】
当該画像形成装置の使用状況を管理する管理システムが接続された公衆通信回線又はインターネットに対して接続可能に構成され、
前記第１の不揮発性メモリに保持された情報を前記公衆通信回線又はインターネットを介して前記管理システムに送出することを特徴とする請求項１〜７のいずれかに記載の画像形成装置。
【請求項８】
当該画像形成装置の使用状況を管理する管理システムが接続された公衆通信回線又はインターネットに対して接続可能に構成され、
前記管理システムから送出された情報を前記公衆通信回線又はインターネットを介して送入して、当該情報を前記第１の不揮発性メモリ及び前記第２の不揮発性メモリのうちの少なくとも１つに保持させることを特徴とする請求項１〜７のいずれかに記載の画像形成装置。
【発明の詳細な説明】
【技術分野】
【０００１】
この発明は、複写機、プリンタ、ファクシミリ、又は、それらの複合機等の電子写真方式を用いた画像形成装置に関するものである。
【背景技術】
【０００２】
従来から、カラー複写機等の画像形成装置において、プロセスカートリッジ等の装置ユニットが画像形成装置本体に対して着脱自在に構成されているものが多く開発されている。このような画像形成装置においては、既設の装置ユニットが寿命や故障に至った場合に、ユーザーやサービスマン等の作業者によって、既設の装置ユニットを新品状態の装置ユニットに交換するメンテナンス作業がおこなわれている（例えば、特許文献１参照。）。
【０００３】
ここで、画像形成装置本体に交換設置される新品状態の装置ユニットは、製造工場でまったく新規に製造されたものの他に、既に他の画像形成装置で使用された後に回収されてリサイクル工場にて再利用処理されたリサイクル・ユニットも含まれる。
特に、近年の省資源に対する意識の高まりにともない、リサイクル・ユニットの製造（再利用処理）は、画像形成装置のメーカーとは異なるメーカーでおこなわれる場合も増えている。
【０００４】
一方、特許文献１等では、画像形成装置本体に交換可能に設置されるプロセスカートリッジに不揮発性メモリを搭載して、画像形成装置本体に搭載されたメモリと情報のやり取りをおこなう技術が開示されている。
詳しくは、プロセスカートリッジに搭載された不揮発性メモリにおけるノイズによる書込み不良を防止することを目的として、不揮発性メモリへの書込みが必要なときのみに書込みをおこない、それ以外のときには不揮発性メモリへの書込みを禁止するように、書込みのタイミングを制御している。
【０００５】
【特許文献１】特開２００２−２３５７０号公報（第３−５頁、第２−３図）
【発明の開示】
【発明が解決しようとする課題】
【０００６】
上述した従来の画像形成装置は、メンテナンス時にプロセスカートリッジを交換することによって、出力画像における画像品質が低下する場合があった。
【０００７】
詳しくは、次の通りである。
すなわち、製造工場で製造される画像形成装置は、装置内にプロセスカートリッジを設置した状態で、種々の調整をした後に出荷される。その調整のなかには、最高の画像品質を確保するための精巧な調整もあり、プロセスカートリッジと画像形成装置本体とが１対１で対応することが少なくない。すなわち、調整が完了した画像形成装置に設置されたプロセスカートリッジを別のものと交換した場合に、厳密には、まったく同じ画像品質が得られない場合が少なくない。
【０００８】
このような問題は、市場の画像形成装置において、作業者がメンテナンス作業をおこなう際に顕在化する。すなわち、既設のプロセスカートリッジが寿命や故障に達して、交換用のプロセスカートリッジを画像形成装置本体に設置したことにより、その画像品質が低下する場合があった。
上述の問題は、交換用のプロセスカートリッジが、純正のもの（その画像形成装置のメーカーが品質管理するものである。）であれば、それほど大きな画像品質上の差異は生じない。すなわち、プロセスカートリッジの交換があっても上述の画像品質の差異が極小となるようなノウハウに基づいて、画像形成装置本体及びプロセスカートリッジが設計・製造されるからである。これは、純正メーカーによるリサイクルのプロセスカートリッジにおいても同様である。
【０００９】
これに対して、交換用のプロセスカートリッジが、非純正のもの（画像形成装置のメーカーとは異なるメーカーが製造するものであり、画像形成装置のメーカーの管理が及ばないものである。）である場合には、上述の問題が無視できないものになる可能性がある。すなわち、非純正のものは、上述のノウハウが反映されないことが多いからである。これは、非純正メーカーによるリサイクルのプロセスカートリッジにおいても同様である。非純正のリサイクルとしては、純正品を回収して非純正メーカーが再利用処理する場合や、非純正品を回収して非純正メーカーがさらに再利用処理する場合や、非純正品を回収して純正メーカーが再処理する場合等がある。
なお、上述の問題は、高い画像品質が要求されるカラー画像形成装置では、特に無視できないものである。
【００１０】
このような問題を解決するために、非純正のプロセスカートリッジを一律に画像形成装置本体に設置できないようにする方策も考えられる。
しかし、非純正品のなかには、そのメーカーの努力により、純正品と同等に良好な画像品質を維持できるものもあるはずである。これらを一律に画像形成装置に設置不能とするのは、画像形成装置のユーザーにおける選択肢を制限することになって、適当ではない。
【００１１】
なお、上述の問題は、プロセスカートリッジ以外でも、画像形成装置本体に対して交換することを前提に構成された装置ユニットであって、ユニット差によってその品質に差異が生じうる装置ユニット（例えば、感光体ドラム、帯電ユニット、現像ユニット、トナーカートリッジ、クリーニングユニット、光学ユニット、転写ユニット、給紙ユニット、定着ユニット等）のすべてに共通する問題である。
【００１２】
この発明は、上述のような課題を解決するためになされたもので、画像形成装置本体に対して交換される装置ユニットが、純正・非純正やリサイクル・非リサイクル等の種類に係わらず、いかなる状態のものであっても、常に最適な条件で稼働して、ユーザーが安心して使用できる画像形成装置を提供することにある。
【課題を解決するための手段】
【００１３】
請求項１記載の発明は、第１の不揮発性メモリを具備した画像形成装置本体と、
前記画像形成装置本体に交換可能に設置されるとともに、第２の不揮発性メモリを具備した装置ユニットとを備え、前記第１の不揮発性メモリは、前記装置ユニットに係わるリサイクル回数、稼働履歴及び作像条件に係わる情報が書き込まれる第１の情報記憶領域と、前記画像形成装置本体の使用開始に係わる情報が書き込まれる第２の情報記憶領域と、前記画像形成装置本体の製造時に定まる前記画像形成装置本体の製造に係わる情報、認識番号が書き込まれる第３の情報記憶領域とを複数種類有し、前記第２の不揮発性メモリは、前記装置ユニットのリサイクル回数を含むリサイクル稼働履歴に係る情報を有する稼働履歴に係わる情報が書き込まれる第１の情報記憶領域と、新品状態の前記装置ユニットの使用開始に係わる固定情報が書き込まれる第２の情報記憶領域と、前記装置ユニットの製造及び作像条件、認識番号に係わる情報が書き込まれる第３の情報記憶領域とを有し、かつ、前記第１の不揮発性メモリとやり取りした情報に基づいて前記画像形成装置本体全体を最適な画像形成条件に調整する制御部を備え、前記制御部は、前記装置ユニットが交換されたか否かを判別して前記装置ユニットが交換されたと判別した場合には、前記第２の不揮発性メモリから認識番号を読み込んで該認識番号が前記第１の不揮発性メモリ内の認識番号と一致するか否かを判別し、前記第２の不揮発性メモリ内の認識番号が前記第１の不揮発性メモリ内の認識番号と一致すると判別した場合には前記装置ユニット内のリサイクル回数に係わる情報と前記第１の不揮発性メモリ内のリサイクル回数に係わる情報とが一致するか否かを判別し、前記装置ユニット内のリサイクル回数に係わる情報と前記第１の不揮発性メモリ内のリサイクル回数に係わる情報とが一致しないと判別した場合には、前記装置ユニットがリサイクルされたものであるとし、前記第２の不揮発性メモリから情報を読み込んで前記装置ユニットの使用開始フラグがなしであるか否かを判別し、前記装置ユニットの使用開始フラグがなしであると判別した場合には前記第２の不揮発性メモリの前記第２の情報記憶領域の使用開始フラグをセットし、前記第２の不揮発性メモリの前記第２の情報記憶領域に使用開始年月日を書き込んで前記第２の不揮発性メモリの前記第３の情報記憶領域内の製造に関わる情報と使用開始年月日を前記第１の不揮発性メモリの前記第２の情報記憶領域に書き込み、前記第２の不揮発性メモリの前記第３の情報記憶領域に書き込まれた作像条件に関わる情報を前記第１の不揮発性メモリの前記第１の情報記憶領域に書き込み、前記第２の不揮発性メモリの前記第１の情報記憶領域に書き込まれた情報を前記第１の不揮発性メモリの前記第１の情報記憶領域に書き込み、前記装置ユニットがリサイクルされたものであるとした場合には前記装置ユニットの認識番号に対応した前記第２の不揮発性メモリの前記第３の情報記憶領域内の作像条件に係る情報を前記第１の不揮発性メモリの前記第１の情報記憶領域に書き込んで前記第２の不揮発性メモリの前記第１の情報記憶領域に書き込まれた情報を前記第１の不揮発性メモリの前記第１の情報記憶領域に書き込み、前記装置ユニット内のリサイクル回数に係わる情報と前記第１の不揮発性メモリ内のリサイクル回数に係わる情報とが一致すると判別した場合には前記装置ユニットがリサイクルされたものでなく別の機種で使用された装置ユニットであるか別のメーカで製造された装置ユニットであると判別して、前記装置ユニットの使用開始年月日を前記第１の不揮発性メモリの前記第２の情報記憶領域に書き込んで前記第２の不揮発性メモリの前記第３の情報記憶領域内の製造に関わる情報を前記第１の不揮発性メモリの前記第２の情報記憶領域に書き込み、前記第２の不揮発性メモリの前記第３の情報記憶領域内の作像条件に係わる情報を前記第１の不揮発性メモリの前記第１の情報記憶領域に書き込んで前記第２の不揮発性メモリの前記第１の情報記憶領域に書き込まれた情報を前記第１の不揮発性メモリの前記第１の情報記憶領域に書き込むものである。
【００１４】
また、請求項２記載の発明は、前記装置ユニットは、像担持体を帯電する帯電部と前記像担持体上に形成される潜像を現像する現像部と前記像担持体をクリーニングするクリーニング部のうちの少なくとも１つと、前記像担持体とが一体的に保持されたプロセスカートリッジであることを特徴とする請求項１に記載の画像形成装置である。
【００１５】
また、請求項３記載の発明は、前記装置ユニットは、像担持体、前記像担持体を帯電する帯電部、前記像担持体上に形成される潜像を現像する現像部、前記像担持体上に形成されるトナー像を被転写材に転写する転写部、前記像担持体をクリーニングするクリーニング部のうちのいずれか１つ又は複数がユニット化されたものであることを特徴とする請求項１又は２に記載の画像形成装置である。
【００１６】
また、請求項４記載の発明は、前記装置ユニットは、トナーが収納されたトナーカートリッジであることを特徴とする請求項１〜３のいずれかに記載の画像形成装置である。
【００１７】
また、請求項５記載の発明は、前記第２の不揮発性メモリは、前記装置ユニットに対して着脱自在に形成されたＩＣタグであることを特徴とする請求項１〜４のいずれかに記載の画像形成装置である。
【００１８】
また、請求項６記載の発明は、前記画像形成装置本体に電力を供給する電源部を備え、前記第１の不揮発性メモリは、前記画像形成装置本体に対して着脱自在に設置されたＥＥＰＲＯＭ及びＳＲＡＭを備え、前記電源部による前記画像形成装置本体への電力の供給が遮断されたときに、前記ＳＲＡＭに保持された情報を前記ＥＥＰＲＯＭに書込むことを特徴とする請求項１〜５のいずれかに記載の画像形成装置である。
【００１９】
また、請求項７記載の発明は、当該画像形成装置の使用状況を管理する管理システムが接続された公衆通信回線又はインターネットに対して接続可能に構成され、前記第１の不揮発性メモリに保持された情報を前記公衆通信回線又はインターネットを介して前記管理システムに送出することを特徴とする請求項１〜７のいずれかに記載の画像形成装置である。
【００２０】
また、請求項８記載の発明は、当該画像形成装置の使用状況を管理する管理システムが接続された公衆通信回線又はインターネットに対して接続可能に構成され、前記管理システムから送出された情報を前記公衆通信回線又はインターネットを介して送入して、当該情報を前記第１の不揮発性メモリ及び前記第２の不揮発性メモリのうちの少なくとも１つに保持させることを特徴とする請求項１〜７のいずれかに記載の画像形成装置である。
【発明の効果】
【００３５】
本発明は、画像形成装置本体に対して交換される装置ユニットにおける、バージョンや純正・非純正やリサイクル・非リサイクル等のユニット種類に係わる情報や、作像条件や製造条件や稼働履歴等のユニット個別の情報を、装置ユニットと画像形成装置本体との間でやり取りし、常に最適な画像形成条件で稼働して、ユーザーが安心して使用できる画像形成装置を提供することができる。
【発明を実施するための最良の形態】
【００３６】
以下、この発明を実施するための最良の形態について、図面を参照して詳細に説明する。なお、各図中、同一又は相当する部分には同一の符号を付しており、その重複説明は適宜に簡略化ないし省略する。
【００３７】
図１は、実施の形態における画像形成装置の全体を示す構成図である。
図１において、１は画像形成装置としてのカラー複写機の装置本体、２は画像情報に基づいたレーザ光を発する光学部（光学ユニット）、２０Ｙ、２０Ｍ、２０Ｃ、２０ＢＫは各色（イエロー、マゼンタ、シアン、ブラック）に対応した設置位置に交換可能に設置される装置ユニットとしてのプロセスカートリッジ、２１は各プロセスカートリッジ２０Ｙ、２０Ｍ、２０Ｃ、２０ＢＫにそれぞれ収納された像担持体としての感光体ドラム、２２は感光体ドラム２１上を帯電する帯電部、２３は感光体ドラム２１上に形成される静電潜像を現像する現像部、２４は感光体ドラム２１上に形成されたトナー像を被転写材Ｐに転写する転写ローラ、２５は感光体ドラム２１上の未転写トナーを回収するクリーニング部、３０は転写ベルトユニットの転写ベルト、３２Ｙ、３２Ｍ、３２Ｃ、３２ＢＫは各プロセスカートリッジ２０Ｙ、２０Ｍ、２０Ｃ、２０ＢＫの現像部２３に各色のトナーを供給するトナー供給部、６１は転写紙等の被転写材Ｐが収納される給紙部（給紙ユニット）、６６は被転写材Ｐ上の未定着画像を定着する定着部（定着ユニット）、８０は各プロセスカートリッジ２０Ｙ、２０Ｍ、２０Ｃ、２０ＢＫにそれぞれ着脱可能に設置された第２不揮発性メモリとしてのＩＣタグ、９０は装置本体１の外装に一部が露呈するように設けられた操作部、１００は装置本体１の制御部、１２０は載置された原稿を光学的に読み取るスキャナを示す。
【００３８】
ここで、各プロセスカートリッジ２０Ｙ、２０Ｍ、２０Ｃ、２０ＢＫには、それぞれ、感光体ドラム２１、帯電部２２、現像部２３、クリーニング部２５が、一体的に保持されている。そして、各プロセスカートリッジ２０Ｙ、２０Ｍ、２０Ｃ、２０ＢＫにおける感光体ドラム２１上で、それぞれ、各色（イエロー、マゼンタ、シアン、ブラック）の画像形成がおこなわれる。
【００３９】
以下、画像形成装置における、通常のカラー画像形成時の動作について説明する。
４つの感光体ドラム２１は、それぞれ、図１の時計方向に回転している。そして、まず、感光体ドラム２１の表面は、帯電部２２との対向位置で、一様に帯電される（帯電工程である。）。その後、帯電された感光体ドラム２１表面は、それぞれのレーザ光の照射位置に達する。
【００４０】
一方、スキャナ１２０の原稿載置部にカラー原稿が載置されると、読取部にて原稿の画像情報が光学的に読み取られる。すなわち、原稿に対して照明光源の走査をおこない、不図示のカラーＣＣＤに原稿像を結像する。そして、原稿像、すなわち原稿に対する光照射の反射光を、カラーＣＣＤで光電変換してＲ、Ｇ、Ｂの画像信号を生成する。これらの画像信号は、光学部２に送信される。その後、光学部２において、ＬＤ光源から画像信号に対応したレーザ光が各色に対応して射出される。レーザ光は、ポリゴンミラー３に入射して反射した後に、レンズ４、５を透過する。レンズ４、５を透過した後のレーザ光は、イエロー、マゼンタ、シアン、ブラックの各色成分ごとに別の光路を通過することになる（露光工程である。）。
【００４１】
イエロー成分のレーザ光は、ミラー６〜８で反射された後に、紙面右側から１番目のプロセスカートリッジ２０Ｙの感光体ドラム２１表面に照射される。このとき、イエロー成分のレーザ光は、高速回転するポリゴンミラー３により、感光体ドラム２１の回転軸方向（主走査方向）に走査される。こうして、帯電部２２にて帯電された後の感光体ドラム２１上には、イエロー成分の静電潜像が形成される。
同様に、マゼンタ成分のレーザ光は、ミラー９〜１１で反射された後に、紙面右から２番目のプロセスカートリッジ２０Ｍの感光体ドラム２１表面に照射されて、マゼンタ成分の静電潜像が形成される。シアン成分のレーザ光は、ミラー１２〜１４で反射された後に、紙面右から３番目のプロセスカートリッジ２０Ｃの感光体ドラム１２表面に照射されて、シアン成分の静電潜像が形成される。ブラック成分のレーザ光は、ミラー１５で反射された後に、紙面右から４番目のプロセスカートリッジ２０ＢＫの感光体ドラム２１表面に照射されて、ブラック成分の静電潜像が形成される。
【００４２】
その後、各色の静電潜像が形成された感光体ドラム２１表面は、さらに回転して、現像部２３との対向位置に達する。そして、現像部２３から感光体ドラム２１上に各色のトナーが供給されて、感光体ドラム２１上の潜像が現像される（現像工程である。）。
その後、現像工程後の感光体ドラム２１表面は、それぞれ、転写ベルト３０との対向位置に達する。ここで、それぞれの対向位置には、転写ベルト３０の内周面に当接するように転写ローラ２４が設置されている。そして、転写ローラ２４の位置で、転写ベルト３０によって搬送された被転写材Ｐ上に、感光体ドラム２１上に形成された各色のトナー像が、順次転写される（転写工程である。）。
【００４３】
なお、転写ベルトユニットにおいて、転写ベルト３０は駆動ローラと３つの従動ローラとによって張架・支持されている。そして、駆動ローラによって、転写ベルト３０は図中の矢印方向に走行する。この転写ベルトユニットは、上述の転写ローラ２４や転写ベルト３０等の部材が一体的に構成されていて、装置本体１に対して交換可能な装置ユニットとして構成されている。
【００４４】
そして、転写工程後の感光体ドラム２１表面は、それぞれ、クリーニング部２５との対向位置に達する。そして、クリーニング部２５で、感光体ドラム２１上に残存する未転写トナーが回収される（クリーニング工程である。）。
その後、感光体ドラム２１表面は、不図示の除電部を通過して、一連の作像プロセスが終了する。
【００４５】
一方、給紙部６１（給紙ユニット）からは、給紙ローラ６２により給送された被転写材Ｐが、搬送ガイド６３を通過した後に、レジストローラ６４の位置に導かれる。レジストローラ６４に導かれた被転写材Ｐは、搬送タイミングを制御されながら、転写ベルト３０と吸着ローラ２７との当接部に向けて搬送される。
その後、被転写材Ｐは、図中矢印方向に走行する転写ベルト３０に搬送されながら、４つの感光体ドラム２１の対向位置を順次通過する。こうして、被転写材Ｐ上には各色のトナー像が重ねて転写されて、カラー画像が形成される。
【００４６】
その後、カラー画像が形成された被転写材Ｐは、転写ベルトユニットの転写ベルト３０から離脱して、定着部６６（定着ユニット）に導かれる。定着部６６では、加熱ローラ６７と加圧ローラ６８とのニップ部にて、カラー画像が被転写材Ｐ上に定着される。
そして、定着工程後の被転写材Ｐは、排紙ローラ６９によって、装置本体１外に排出されて、一連の画像形成装置の動作が完了する。
【００４７】
次に、図２にて、画像形成装置本体１に交換自在に設置されるプロセスカートリッジについて詳述する。
なお、装置本体１に設置される４つのプロセスカートリッジは、収納されるトナーＴの色が異なる以外はほぼ同一構造であるので、符号のアルファベット（Ｙ、Ｍ、Ｃ、ＢＫ）を除して図示する。
【００４８】
図２Ａは、新品状態（非リサイクル品又はリサイクル品が、製造後又は再生処理後に一度も装置本体にて使用されていない状態である。）のプロセスカートリッジ２０を示す断面図である。
同図に示すように、プロセスカートリッジ２０には、主として、像担持体としての感光体ドラム２１と、帯電部２２と、現像部２３と、クリーニング部２５とが、ケース２６内に一体的に収納されている。また、現像部２３は、現像ローラ２３ａ、撹拌ローラ２３ｂ、２３ｃ、ドクターブレード２３ｄ等で構成され、その内部にはキャリアＣとトナーＴとからなる現像剤が収納されている。また、クリーニング部２５は、クリーニングブレード２５ａ、クリーニングローラ２５ｂ等で構成されている。さらに、プロセスカートリッジ２０のケース２６上には、ＩＣタグ８０が着脱自在に設置されている。
【００４９】
ここで、ＩＣタグ８０は、大きさが１ｍｍ角前後の小さなＩＣチップであり、装置本体１の制御部１００に設置された第１不揮発性メモリ１１１との情報のやり取りをおこなう。詳しくは、制御部１００のＣＰＵにて、第１不揮発性メモリ１１１に保持された情報と、ＩＣタグ８０の第２不揮発性メモリに保持された情報とが、処理される。
ここで、ＩＣタグ８０として、送受信アンテナを介して無線で情報のやり取りをおこなう非接触型ＩＣタグを用いることもできるし、Ｉ／Ｏポートを介して有線で情報のやり取りをおこなう接触型ＩＣタグを用いることもできる。
【００５０】
そして、このプロセスカートリッジ２０の単位で、作業者によって装置本体への交換作業がおこなわれる。
すなわち、図２Ｂを参照して、装置ユニットとしてのプロセスカートリッジ２０は、装置本体の設置部に設置される。
詳しくは、作業者によって装置本体のドア（不図示である。）が開放された後に、プロセスカートリッジ２０は装置本体に設けられた不図示のレールに案内されて装置本体内に設置される。
【００５１】
そして、プロセスカートリッジ２０の装置本体への設置が完了すると、まず、プロセスカートリッジ２０のＩＣタグ８０と、装置本体における制御部１００の第１不揮発性メモリ１１１との間で、情報のやり取りがおこなわれる。このときにやり取りされる情報は、プロセスカートリッジ２０に係わる作像条件や製造や稼働履歴や使用開始に係わる情報等である。そして、やり取りされた情報に基づいて、装置本体１の制御部１００によって、画像形成装置全体が最適な画像形成条件に調整される。このときの情報のやり取りに係わる制御については、後で詳しく説明する。
【００５２】
そして、図２Ｂを参照して、上述の情報のやり取りが終了した後に、通常の画像形成がおこなわれる。この通常の画像形成は、先に図１で説明した通りにおこなわれる。
詳しくは、現像ローラ２３ａは、図中の矢印方向に回転している。現像部２３内のトナーＴは、図中の反時計方向に回転する撹拌ローラ２３ｂ、２３ｃによって、トナー供給部３２から供給されたトナーＴとともに、キャリアＣと混合される。そして、摩擦帯電したトナーＴは、一方の撹拌ローラ２３ｂによって、キャリアＣとともに現像ローラ２３ａ上に担持される。
なお、トナーボトル３３内のトナーＴは、現像部２３内のトナーＴの消費にともない、現像部２３内に適宜に供給されるものである。現像部２３内のトナーＴの消費は、感光体ドラム２１に対向する光学センサとしてのトナー濃度センサ２８（Ｐセンサ）と、現像部２３に設置された透磁率センサとしてのトナー濃度センサ２９（Ｔセンサ）と、によって検出される。
【００５３】
その後、現像ローラ２３ａに担持されたトナーＴは、ドクターブレード２３ｄの位置を通過した後に、感光体ドラム２１との対向位置に達する。そして、その対向位置で、トナーＴは、感光体ドラム２１表面に形成された静電潜像に付着する。詳しくは、レーザ光Ｌが照射された領域の表面電位と、現像ローラ２３ａに印加された現像バイアスとの、電位差によって形成される電界によって、トナーＴが感光体ドラム２１表面に付着する。
そして、感光体ドラム２１に付着したトナーＴは、そのほとんどが被転写材Ｐ上に転写される。そして、感光体ドラム２１上に残存したトナーＴが、クリーニングブレード２５ａ及びクリーニングローラ２５ｂによってクリーニング部２５内に回収される。
【００５４】
次に、図３にて、画像形成装置本体１の制御部１００と、プロセスカートリッジ２０のＩＣタグ８０と、について詳述する。
図３のブロック図に示すように、制御部１００は、装置全体の制御に係わるコントローラボード１０１、操作部９０に係わる制御をおこなう操作部制御ボード１０２、画像情報を記憶するＨＤＤ１０３、通信コントロール装置１０５を介してアナログ電話回線等の公衆通信回線に接続される通信コントロール装置インターフェイスボード１０４、ＬＡＮに接続されるＬＡＮインターフェイスボード１０６、ＰＣＩバスに接続されたファクシミリ・コントロールユニット（ＦＣＵ）１０７、ＩＥＥＥ１３９４ボード／無線ＬＡＮボード／ＵＳＢボード１０８、ＰＣＩバス１０９を介してコントローラボード１０１に接続されたエンジン制御ボード１１０、エンジン制御ボード１１０に接続されて装置本体１のＩ／Ｏを制御するＩ／Ｏ制御ボード１４０、スキャナ１２０に載置されたコピー原稿の画像を読み込むスキャナボード（ＳＢＵ）１２２、画像情報をレーザ光として感光体ドラム２１上に書込むＬＤＢ１３０等で構成される。
【００５５】
図３を参照して、スキャナ１２０のカラーＣＣＤ１２１は、３ラインカラーＣＣＤであり、ＥＶＥＮｃｈ／ＯＤＤｃｈのＲ、Ｇ、Ｂ画像信号を生成する。そして、それらの画像信号を、ＳＢＵ１２２のアナログＡＳＩＣに入力する。ここで、ＳＢＵ１２２には、アナログＡＳＩＣ及びカラーＣＣＤ１２１の駆動タイミングを発生するタイミング発生回路が搭載されている。ＣＣＤ１２１の出力は、アナログＡＳＩＣ内部のサンプルホールド回路によってサンプルホールドされた後に、Ａ／Ｄ変換される。Ａ／Ｄ変換されたＲ、Ｇ、Ｂの画像データは、その後にシェーディング補正されて、出力Ｉ／Ｆ（インターフェイス）を介してエンジン制御ボード１１０のＩＰＰ（画像情報処理器）に送出される。
【００５６】
エンジン制御ボード１１０のＩＰＰでは、分離生成（画像が文字領域であるか写真領域であるかの判定である。）、地肌除去、スキャナガンマ変換、フィルタ、色補正、変倍、画像加工、プリンタガンマ変換、階調処理等がおこなわれる。なお、このＩＰＰは、画像処理をおこなうプログラマブルな演算処理手段である。
ＳＢＵ１２２からＩＰＰに送信された画像情報は、光学部及びデジタル信号への量子化に伴う信号劣化（スキャナ系の信号劣化）が補正されて、その後にコントローラボード１０１のフレームメモリに書き込まれる。
【００５７】
コントローラボード１０１は、ＣＰＵ、コントローラボード１０１の制御をおこなうＲＯＭ、ＣＰＵが使用する作業用メモリであるＳＲＡＭ、リチウム電池を内臓してＳＲＡＭのバックアップをするとともに時計を内臓したＮＶ−ＲＡＭ、システムバス制御、フレームメモリ制御、ＦＩＦＯ等のＣＰＵ周辺を制御するＡＳＩＣ、インターフェイス回路等で構成されている。
コントローラボード１０１は、スキャナアプリケーション、ファクシミリアプリケーション、プリンタアプリケーション、コピーアプリケーション等の複合機としてのアプリケーションの機能を有していて、システム全体の制御おこなう。すなわち、操作部制御ボード１０２から入力されるアプリケーションに係わる情報を解読して、システムの設定をおこなうとともに、その状態を操作部９０の表示部に表示する。
【００５８】
コントローラボード１０１は、通信コントロール装置インターフェイスボード１０４を介して、全二重非同期シリアル通信ができるように通信コントロール装置１０５に接続されている。なお、通信コントロール装置１０５は、ＲＳ−４８５インターフェイス規格により、マルチドロップ接続されている。そして、後述する管理システムとの通信は、通信コントロール装置インターフェイスボード１０４を介しておこなわれる。
【００５９】
コントローラボード１０１は、ＬＡＮインターフェイスボード１０６を介して、ＬＡＮ（インターネット）に接続されている。ＬＡＮインターフェイスボード１０６は、ＰＨＹチップを搭載したＰＨＹチップＩ／ＦやＩ２ＣバスＩ／Ｆの標準的な通信インターフェイスである。そして、後述する管理システムとの通信は、ＬＡＮインターフェイスボード１０６を介しておこなわれる。
【００６０】
コントローラボード１０１に接続されたＨＤＤ１０３は、システムのアプリケーションプログラム、付勢情報を格納するアプリケーションデータベース、画像情報に係わるデータベースとして機能する。ＨＤＤ１０３は、ＡＴＡ／ＡＴＡＰＩ−４の準拠したインターフェイスでコントローラボード１０１に接続されている。
【００６１】
コントローラボード１０１に接続された操作部制御ボード１０２は、ＣＰＵ、ＲＯＭ、ＲＡＭ、ＬＣＤ及びキー入力を制御するＡＳＩＣとしてのＬＣＤＣ等で構成されている。操作部制御ボード１０２とコントローラボード１０１との通信により、操作部９０の表示部（表示パネル）にて、キー入力、操作に必要な表示がされる。操作部制御ボード１０２のＲＯＭには、入力読込みや表示出力を制御するための制御プログラムが保持されている。操作部制御ボード１０２のＲＡＭは、ＣＰＵで使用する作業用メモリである。なお、操作部９０の表示部（表示パネル）は、作業者がシステム設定の入力をおこなったり、作業者にシステムの設定内容や状態を表示するためのものである。
【００６２】
一方、エンジン制御ボード１１０は、先に図１及び図２にて説明した作像プロセスに係わる制御を主としておこなう。エンジン制御ボード１１０は、ＣＰＵ１１６、Ｉ／Ｏ・ＡＣＩＣ、上述したＩＰＰ、画像形成に係わる制御に必要なプログラムを保持したＲＯＭ１１５、その制御に必要なＳＲＡＭ、第１不揮発性メモリ１１１等で構成されている。
ここで、第１不揮発性メモリ１１１は、エンジン制御ボード１１０のＩＣソケット（不図示である。）に着脱自在に搭載されるＩＣである。そして、第１不揮発性メモリ１１１には、書込み禁止領域１１２、書込み可能領域１１３、第２書込み可能領域１１４がアドレスとして設けられている。これについては、後で詳述する。
【００６３】
エンジン制御ボード１１０は、ＰＣＩバス１０９を介して、コントローラボード１０１と接続されている。ここで、ＰＣＩバス１０９は、画像情報と制御コマンドとを時分割で送信する画像情報バス／制御コマンドバスである。
また、エンジン制御ボード１１０に接続されたＬＤボード（ＬＤＢ）１３０において、コントローラボード１０１のワークメモリから出力された各色（イエロー、マゼンタ、シアン、ブラック）の書込み信号が、ＬＤ書込み回路に入力される。このＬＤ書込み回路では、ＬＤ電流制御（変調制御）がおこなわれ、各ＬＤ光源に出力される。
【００６４】
エンジン制御ボード１１０のＩ／Ｏ・ＡＳＩＣは、ＣＰＵ１１６との信号の送受信をおこなうシリアルインターフェイスを備えている。Ｉ／Ｏ・ＡＳＩＣは、エンジン制御ボード１１０の近くに実装されたカウンタ、ファン、ソレノイド、モータ等のデバイスを制御する。
【００６５】
エンジン制御ボード１１０に対して同期シリアルインターフェイスにて接続されたＩ／Ｏ制御ボード１４０は、ＣＰＵ、Ｉ／Ｏ・ＡＳＩＣ、プロセスカートリッジＩ／Ｆ１４１等で構成されている。Ｉ／Ｏ制御ボード１４０のＣＰＵは、いわゆるサブＣＰＵとして機能して、図２で説明したトナー濃度センサ２８（Ｐセンサ）のアナログ制御等のＩ／Ｏ制御をおこなう。
ここで、新品状態のプロセスカートリッジ２０の装置本体１への装着の検知は、装置本体１のドアが開閉されたときにおこなう。すなわち、Ｉ／Ｏ制御ボード１４０に接続されたドアＳＷ（スイッチ）がオフのときには、プロセスカートリッジ２０が交換された可能性があるのでその確認をおこない、その結果をエンジン制御ボード１１０に送信する。なお、このときの制御フローについては、後でフローチャートに基づいて説明する。
【００６６】
プロセスカートリッジＩ／Ｆ１４１は、装置本体１の第１不揮発性メモリ１１１と、プロセスカードリッジ２０に搭載されたＩＣタグ８０の第２不揮発性メモリ１５３とが、情報のやり取りをおこなうためのインターフェイス回路である。
例えば、第２不揮発性メモリ１５３と装置本体１の制御部１００との通信インターフェイスがＩ２Ｃバスである場合、制御部１００のＣＰＵからのパラレル信号はＩ２Ｃの信号に変換されて第２不揮発性メモリ１５３に送信される。同様に、第２不揮発性メモリ１５３からの信号は、パラレル信号に変換されて、制御部１００のＣＰＵに送信される。これに対して、制御部１００のＣＰＵがＩ２Ｃバスを備えている場合には、双方は直接接続される。
なお、電源としてのＰＳＵ１３５は、画像形成装置本体１を制御するための電力を供給するユニットである。メインＳＷをオンすることにより、画像形成装置に商用電源が供給される。
【００６７】
ここで、プロセスカートリッジ２０のＩＣタグ８０は、第２不揮発性メモリ１５３、ＣＰＵ１５２等を備えている。さらに、第２不揮発性メモリ１５３には、書込み禁止領域１５４、書込み可能領域１５５、第２書込み可能領域１５６がアドレスとして設けられている。なお、第１不揮発性メモリ１１１及び第２不揮発性メモリ１５７に保持された情報は、そのほとんどが、画像形成装置を制御するために必要な、互いに関連する情報である。
【００６８】
図４にて、プロセスカートリッジ２０に設置される第２不揮発性メモリ１５３について詳述する。
図４は、第２不揮発性メモリ１５３におけるメモリマップである。
同図に示すように、第２不揮発性メモリ内には、アドレス「００Ｈ」として書込み可能領域が、アドレス「２０Ｈ」として第２書込み可能領域が、アドレス「３０Ｈ」として書込み禁止領域が、それぞれ、Ａ機種を使用する場合に確保される。同様に、書込み可能領域（図中のアドレス「５０Ｈ」である。）と、第２書込み可能領域（不図示）と、書込み禁止領域（不図示）とが、それぞれ、Ｂ機種を使用する場合に確保される。
【００６９】
ここで、Ａ機種とＢ機種とは、それぞれ異なる機種の画像形成装置である。そして、プロセスカートリッジ２０は、複数の機種（Ａ機種、Ｂ機種等である。）の画像形成装置に対して設置可能に構成されている。
そして、上述の装置本体１とプロセスカートリッジ２０とによる情報のやり取りにより、プロセスカートリッジ２０側で装置本体１の機種（ここでは、Ａ機種とする。）を判別して、その機種に対応した第２不揮発性メモリ内の書込み可能領域（アドレス「００Ｈ」）、第２書込み可能領域（アドレス「２０Ｈ」）、書込み禁止領域（アドレス「３０Ｈ」）の情報を活用する。
【００７０】
図４に示すように、第２不揮発性メモリの書込み可能領域（アドレス「００Ｈ」）には、「プロセスカートリッジの商品郡ＩＤ」、「プロセスカートリッジのバージョン」、「種類（カラーＩＤ）」、「有効期間（保存期間）」、「コピー枚数」、「リサイクル回数」、「再生年月日」、「故障履歴（エラー履歴）」、「充填量」、「充填日」、「トナー残量」、「トナーロット」、「ユニット交換部品の交換履歴」等の情報が、それぞれのバイト数で保持されている。
ここで、書込み可能領域におけるこれらの情報は、プロセスカートリッジ２０の稼働履歴（主としてリサイクル履歴に係わるものである。）に係わる情報（流動的な情報である。）が中心となっている。そして、書込み可能領域におけるこれらの情報はプロセスカートリッジ２０の経歴にともない流動する情報であるために、領域内に保持された既存の情報に対して後発的に情報の書換えを可能としている。このように、書換え可能領域は、情報の読み書きが自由にできる領域（読み書きが可能な領域）であり、情報の書込みに対する回数の制限がないように形成されている。
なお、「プロセスカートリッジの商品郡ＩＤ」、「プロセスカートリッジのバージョン」を流動的情報としたのは、プロセスカートリッジのリサイクルを考慮したことによる。
【００７１】
また、第２不揮発性メモリの第２書込み可能領域（アドレス「２０Ｈ」）には、「使用開始年月日」、「使用開始信号」、「書込み禁止フラグ」等の情報が、それぞれのバイト数で保持されている。
ここで、第２書込み可能領域におけるこれらの情報は、プロセスカートリッジ２０の使用開始（新品状態のカートリッジ２０が初めて装置本体１にて使用されることである。）に係わる情報（使用開始により定まる固定的情報である。）が中心となっている。そして、第２書込み可能領域におけるこれらの情報はプロセスカートリッジ２０の使用開始にともない決定される固定情報であるために、情報の書込みを１回のみ可能としている。すなわち、使用開始時に、「使用開始年月日」等の情報が、第２書込み可能領域に書込まれることになる。
【００７２】
また、第２不揮発性メモリの書込み禁止領域（アドレス「３０Ｈ」）には、「ロット番号」、「メーカー名（メーカーＩＤ）」、「製造年月日」、「シリアル番号（認識番号）」、「リサイクル回数の上限」、「プロセスカートリッジの商品郡ＩＤ」、「プロセスカートリッジのバージョン」、「露光量」、「帯電量」、「現像バイアス」等の情報が、それぞれのバイト数で保持されている。
ここで、書込み禁止領域におけるこれらの情報は、プロセスカートリッジ２０の製造及び作像条件に係わる情報（製造時に定まる固定的な情報である。）が中心となっている。そして、書込み禁止領域におけるこれらの情報はプロセスカートリッジ２０の製造時に決定される固定情報であるために、領域内に保持された既存の情報に対して後発的に異なる情報の書込みができないようにしている。
なお、作像条件は、先に図１及び図２で説明した作像プロセスに係わるもので、露光工程におけるレーザ光Ｌの露光量や、帯電工程における帯電部２２の帯電量や、現像工程における現像部２３の現像バイアス等であって、最適な画像形成をおこなうためのプロセスカートリッジ２０に固有の情報である。
また、「プロセスカートリッジの商品郡ＩＤ」、「プロセスカートリッジのバージョン」を固定的情報ともしているのは、製造時のオリジナル情報として参照する必要性を考慮したことによる。
【００７３】
次に、図５にて、装置本体１に設置される第１不揮発性メモリ１１１について詳述する。
図５は、第１不揮発性メモリ１１１におけるメモリマップである。
同図に示すように、第１不揮発性メモリ内には、アドレス「００Ｈ」として書込み禁止領域が、アドレス「２０Ｈ」として書込み可能領域が、アドレス「４０Ｈ」として第２書込み可能領域が、それぞれ、ａユニット（ａプロセスカートリッジ）を使用する場合に確保される。同様に、書込み禁止領域（不図示）と、書込み可能領域（図中のアドレス「６０Ｈ」である。）と、第２書込み可能領域（不図示）とが、それぞれ、ｂユニット（ｂプロセスカートリッジ）を使用する場合に確保される。
【００７４】
ここで、ａユニットとｂユニットとは、それぞれ異なる種類（メーカー、リサイクル有無、バージョン、カラー等の種別である。）のプロセスカートリッジである。そして、装置本体１は、複数の種類（ａユニット、ｂユニット等である。）のプロセスカートリッジを設置可能に構成されている。
そして、上述の装置本体１とプロセスカートリッジ２０とによる情報のやり取りにより、装置本体１側でプロセスカートリッジ２０の種類（ここでは、ａユニットとする。）を判別して、そのユニットに対応した第１不揮発性メモリ内の書込み可能領域（アドレス「２０Ｈ」）、第２書込み可能領域（アドレス「４０Ｈ」）、書込み禁止領域（アドレス「００Ｈ」）の情報を活用する。
【００７５】
図５に示すように、第１不揮発性メモリの書込み禁止領域（アドレス「００Ｈ」）には、「画像形成装置のメーカー名（メーカーＩＤ）」、「画像形成装置のロット番号」、「画像形成装置の製造年月日」、「画像形成装置が工場から出荷されるとき（工場出荷時）のプロセスカートリッジの商品郡ＩＤ」、「工場出荷時の使用開始年月日」、「工場出荷時のロット番号」、「工場出荷時のメーカー名（メーカーＩＤ）」、「工場出荷時の製造年月日」、「工場出荷時のシリアル番号」、「工場出荷時のリサイクル回数の上限」等の情報が、それぞれのバイト数で保持されている。
ここで、書込み禁止領域におけるこれらの情報は、プロセスカートリッジ２０を搭載した装置本体１の製造に係わる情報（製造時に定まる固定的な情報である。）が中心となっている。そして、書込み禁止領域におけるこれらの情報は、画像形成装置の製造時に決定される固定情報であるために、領域内に保持された既存の情報に対して後発的に異なる情報の書込みができないようにしている。
なお、後述するように装置の管理者のみが既存の書込み禁止領域の解除ができることを前提とするならば、上述の書込み禁止領域にプロセスカートリッジの作像条件を工場出荷時に書込むことも可能である。
【００７６】
また、第１不揮発性メモリの書込み可能領域（アドレス「２０Ｈ」）には、「プロセスカートリッジの商品郡ＩＤ」、「プロセスカートリッジのバージョン」、「種類（カラーＩＤ）」、「有効期間（保存期間）」、「コピー枚数」、「リサイクル回数」、「再生年月日」、「故障履歴（エラー履歴）」、「露光量」、「帯電量」、「現像バイアス」等の情報が、それぞれのバイト数で保持されている。
ここで、書込み可能領域におけるこれらの情報は、交換を前提としたプロセスカートリッジ２０に係わる稼働履歴及び作像条件に係わる情報（流動的な情報である。）が中心となっている。そして、書込み可能領域におけるこれらの情報は、領域内に保持された既存の情報に対して後発的に情報の書換えが可能となっている。
【００７７】
また、第１不揮発性メモリの第２書込み可能領域（アドレス「４０Ｈ」）には、「使用開始年月日」、「ロット番号」、「メーカー名（メーカーＩＤ）」、「製造年月日」、「シリアル番号（認識番号）」、「リサイクル回数の上限」、「書込み禁止フラグ」、「プロセスカートリッジの商品郡ＩＤ」、「プロセスカートリッジのバージョン」等の情報が、それぞれのバイト数で保持されている。
ここで、第２書込み可能領域におけるこれらの情報は、装置本体１の使用開始に係わる情報（使用開始により定まる固定的情報である。）が中心となっている。そして、第２書込み可能領域におけるこれらの情報は、新しいプロセスカートリッジ２０が装着されたときに１回のみ書込みが可能となっている。
なお、「プロセスカートリッジの商品郡ＩＤ」、「プロセスカートリッジのバージョン」を本領域情報ともしているのは、製造時及び交換時の他に使用開始時の情報として参照する必要性を考慮したことによる。
【００７８】
そして、画像形成装置が最適な状態で画像形成できるように、上述の第１不揮発性メモリ１１１と第２不揮発性メモリ１５３との間で、情報の受け渡しがおこなわれる。例えば、交換前のプロセスカートリッジ２０と比較して作像条件の若干異なるリサイクルのプロセスカートリッジ２０が装置本体１に設置された場合に、その作像条件の情報が第１不揮発性メモリ１１１に送信されて、さらにその情報に基づいて関連する部位が制御される（例えば、現像部２３における現像バイアス調整等である。）。
【００７９】
その際に、やり取りされる情報は、その性質によって、それぞれの不揮発性メモリ１１１、１５３で、書込み禁止領域、書込み可能領域、第２書込み可能領域の３つの領域に振り分けられる。このように不揮発性メモリ内で、情報の上書きに対する軽重がつけられることで、情報の整理が高められてスムーズな制御が可能になるとともに、誤書込みの防止や第三者による情報操作の防止もできることになる。
【００８０】
次に、図６〜図９を用いて、上述の画像形成装置における制御について詳述する。
図６は、プロセスカートリッジ２０が装置本体１に設置されるときの画像形成装置の制御を示すフローチャートである。
図６に示すように、まず、プロセスカートリッジ２０（図中、「ＰＣ」と記述する。）のチェック、すなわち、装置本体１にてプロセスカートリッジ２０が交換されたかが判別される（ステップＳ１〜Ｓ２）。詳しくは、図９にて説明する。
【００８１】
その結果、プロセスカートリッジの交換がないと判別された場合には、本フローを終了して他のフローに移行する（ステップＳ３）。
これに対して、プロセスカートリッジの交換があると判別された場合には、制御部１００にてプロセスカートリッジ２０の第２不揮発性メモリ１５３に書込まれた情報が読み込まれる（ステップＳ４）。
【００８２】
次に、プロセスカートリッジ２０の種類が判別される（ステップＳ５）。具体的には、使用開始フラグの有無がチェックされる。
その結果、装着されたプロセスカートリッジが使用開始フラグなしと判断された場合には、装置本体１の第１不揮発性メモリ１１１に書込み禁止領域、書込み可能領域、第２書込み可能領域が確保される。さらに、第２不揮発性メモリ１５３の第２書込み領域の使用開始フラグがセットされる（ステップＳ６）。
【００８３】
次に、第２不揮発性メモリの第２書込み可能領域に使用開始年月日が書込まれる（ステップＳ７）。
さらに、使用開始年月日と、第２不揮発性メモリの書込み禁止領域に書込まれた作像条件以外の情報（主として製造に係わる情報である。）とが、装置本体の第１不揮発性メモリの第２書込み可能領域に書込まれる（ステップＳ８）。
【００８４】
次に、第２不揮発性メモリの書込み禁止領域に書込まれた作像条件に係わる情報が、装置本体の第１不揮発性メモリの書込み可能領域に書込まれる（ステップＳ９）。
さらに、第２不揮発性メモリの書込み可能領域に書込まれた情報が、装置本体の第１不揮発性メモリの書込み可能領域に書込まれる（ステップＳ１０）。
そして、最終的に装置本体の第１不揮発性メモリに書込まれた情報が、画像形成装置の管理番号（認識番号）とともに、公衆通信回線又はインターネットを介して管理システム（管理センタ）に送信される（ステップＳ１１）。なお、管理システムについては、後で詳しく説明する。
こうして、本フローを終了する（ステップＳ１２）。
【００８５】
これに対して、ステップＳ５にて、装着されたプロセスカートリッジの使用開始フラグがあると判別された場合には、第２不揮発性メモリにリサイクルフラグがあるかが判別される（ステップＳ１３）。
その結果、プロセスカートリッジがリサイクルされたものと判別された場合には、そのプロセスカートリッジの認識番号に対応した作像条件に係わる情報が、装置本体の第１不揮発性メモリの書込み可能領域に書込まれる（ステップＳ９）。その後、上述のステップＳ１０〜ステップＳ１２がおこなわれる。
【００８６】
これに対して、ステップＳ１３にて、リサイクルされたものでないと判別された場合、別の機種で使用されたプロセスカートリッジであるか、別のメーカーで製造されたプロセスカートリッジであると判別される。
この場合、まず、装置本体１の第１不揮発性メモリ１１１に書込み禁止領域、書込み可能領域、第２書込み可能領域が確保される。そして、第２不揮発性メモリに保持された「使用開始年月日」が、装置本体の第１不揮発性メモリの第２書込み可能領域に書込まれる（ステップＳ１４）。
【００８７】
次に、第２不揮発性メモリの書込み禁止領域に書込まれた作像条件以外の情報（主として製造に係わる情報である。）が、第１不揮発性メモリの第２書込み可能領域に書込まれる（ステップＳ１５）。
さらに、最終的に装置本体の第１不揮発性メモリに書込まれた情報が、画像形成装置の管理番号（認識番号）とともに、公衆通信回線又はインターネットを介して管理システムに送信される（ステップＳ１６）。そして、管理システムからは、その情報に基づいて、最適な画像形成をおこなうための制御情報を装置本体１に送信したり、画像形成プロセスを中断するための制御情報を装置本体１に送信したりする。このとき、管理システムは、第１不揮発性メモリの書込み禁止領域又は第２書込み可能領域に保持された情報に対して上書きするための解除コードを、装置本体１に送信することができる。これについては、図８にて詳述する。
【００８８】
図７は、プロセスカートリッジ２０の第２不揮発性メモリ１５３への情報書き込みに係わる制御を示すフローチャートである。
図７に示すように、プロセスカートリッジ２０の第２不揮発性メモリ１５３への情報書込みの制御において、まず、装置本体１からプロセスカートリッジ２０への書込み信号があるかが判別される（ステップＳ２０〜Ｓ２１）。
【００８９】
その結果、第２不揮発性メモリへの書込み信号がないと判断された場合には、本フローを終了して他のフローに移行する（ステップＳ２２）。
これに対して、第２不揮発性メモリへの書込み信号があると判断された場合には、第１不揮発性メモリに書込まれた情報が第２不揮発性メモリに読み込まれる（ステップＳ２３）。ここで、第１不揮発性メモリに書込まれた情報は、管理システム又は装置本体１の操作部９０から管理者によって後発的に入力された書込み情報（指定情報）も含まれる。
【００９０】
次に、ステップＳ２３で読み込んだ情報が、第２書込み可能領域に係わる情報であるかが判別される（ステップＳ２４）。
その結果、第２書込み領域に係わる情報である場合には、さらに書込み禁止フラグの有無が判別される（ステップＳ２５）。その結果、書込み禁止フラグがない場合、すなわち、第２不揮発性メモリの第２書込み可能領域に書込むべき情報であると判別された場合、その情報が第２不揮発性メモリの第２書込み可能領域に書込まれる（ステップＳ２６）。
さらに、第２不揮発性メモリの第２書込み可能領域の書込み禁止フラグがセットされて（ステップＳ２７）、本フローを終了する（ステップＳ２８）。
【００９１】
これに対して、ステップＳ２４にて、第２書込み可能領域に係わる情報でない場合には、さらに書込み禁止情報であるかが判別される（ステップＳ２９）。その結果、書込み禁止情報である場合、本フローを終了する（ステップＳ３２）。
これに対して、ステップＳ２９にて、書込み禁止情報でないと判別された場合、第２不揮発性メモリの書込み可能領域にその情報が書込まれて（ステップＳ３０）、本フローを終了する（ステップＳ３１）。
また、ステップＳ２５にて、書込み禁止フラグがある場合にも、本フローを終了する（ステップＳ３２）。
【００９２】
図８は、装置本体１の第１不揮発性メモリ１１１における書込み禁止領域／第２書込み可能領域への情報書き込みに係わる制御を示すフローチャートである。
ここで述べる制御は、書込み禁止領域が既存の情報に対する情報の書換えを許容しないことを原則とし、第２書込み可能領域が情報の書込みを１回のみしか許容しないことを原則とするのに対して、例外的に管理者（画像形成装置を管理する特定の者である。）が情報の書換えをするためのものである。これにより、管理者による画像形成装置の調整制御の最適化がはかられることになる。
なお、管理者は、画像形成装置の操作部９０を直接操作して必要な情報を入力することもできるし、管理システムから遠隔操作して必要な情報を入力することもできる。
【００９３】
図８に示すように、書込み禁止領域／第２書込み可能領域への情報書込みの制御において、まず、外部（操作部又は管理システムである。）から装置本体１への書込み信号があるかが判別される（ステップＳ４０〜Ｓ４１）。
【００９４】
その結果、書込み信号がないと判別された場合には、本フローを終了する（ステップＳ４２）。
これに対して、書込み信号があると判別された場合には、その外部からの書込み情報（指定情報）が第１不揮発性メモリに読み込まれる（ステップＳ４３）。なお、この指定情報は、必要に応じて、第２不揮発性メモリにも読み込ませることができる。
【００９５】
次に、読み込んだ指定情報が、書込み解除を指定したコード（予め設定されたコード）をもっているかが判別される（ステップＳ４４）。
その結果、書込み解除を指定したコードをもっていると判別された場合、さらにその指定情報が書込み禁止領域に係わる情報であるかが判別される（ステップＳ４７）。その結果、書込み禁止領域に係わる情報であると判別された場合、その指定情報が、第１不揮発性メモリにおける既存の書込み禁止領域を含む新たな領域が確保されて書込まれる（ステップＳ４８）。なお、この場合、新たに確保された領域（新たな書込み禁止領域となるものである。）は、既存の書込み禁止領域よりも、広い領域となることもあるし、狭い領域となることもある。
こうして、本フローを終了する（ステップＳ４９）。
【００９６】
これに対して、ステップＳ４７にて、書込み禁止領域に係わる情報でないと判別された場合、さらに指定情報が第２書込み可能領域に係わる情報であるかが判別される（ステップＳ５０）。
その結果、第２書込み可能領域に係わる情報であると判別された場合、その指定情報が、第１不揮発性メモリにおける既存の第２書込み可能領域を含む新たな領域が確保されて書込まれる（ステップＳ５１）。すなわち、このときの第２書込み可能領域は、さらに１回の情報書き込みが可能な状態となる。
こうして、本フローを終了する（ステップＳ５２）。
【００９７】
これに対して、ステップＳ５０にて、第２書込み可能領域に係わる情報でないと判別された場合、通常の受信信号処理をおこなって（ステップＳ４５）、本フローを終了する（ステップＳ４６）。
また、ステップＳ４４にて、書込み解除を指定したコードをもっていないと判別された場合も、通常の受信信号処理をおこなって（ステップＳ４５）、本フローを終了する（ステップＳ４６）。
【００９８】
図９は、プロセスカートリッジ２０の交換チェックに係わる制御を示すフローチャートである。ここでは、図６で説明したプロセスカートリッジ２０の交換チェック（ステップＳ２）に係わる制御をさらに詳しく説明する。
図９の制御は、プロセスカートリッジ２０を設置するために開閉する装置本体１のドアが開放された場合に、プロセスカートリッジの第２不揮発性メモリに保持された認識番号（広義の認識コードである。）と、装置本体の第１不揮発性メモリに保持されたプロセスカートリッジの認識番号とを比較して、プロセスカートリッジの交換がされたかをチェックするものである。
【００９９】
図９に示すように、プロセスカートリッジ２０の交換チェックをするために、まず、装置本体１のドアが開放されているかが判別される（ステップＳ６０〜Ｓ６１）。
その結果、ドアが開放されていると判断された場合、ドアオープンフラグがセットされる（ステップＳ６２）。
そして、装置本体の制御部１００に搭載された時計の時刻を、プロセスカートリッジの第２不揮発性メモリに記憶させる（ステップＳ６３）。
さらに、装置本体の制御部とプロセスカートリッジの第２不揮発性メモリとの情報のやり取りを停止して（ステップＳ６４）、プロセスカートリッジへの電力供給を停止する（ステップＳ６５）。
こうして、本フローを終了する（ステップＳ６６）。
【０１００】
これに対して、ステップＳ６１にて、ドアが閉鎖されていると判断された場合、さらにドアオープンフラグがセットされているかが判別される（ステップＳ６７）。
その結果、ドアオープンフラグがセットされていると判別された場合、すなわち、ドアの開閉動作があったと判別された場合、プロセスカートリッジへの電力供給が再開されるとともに、制御部と第２不揮発性メモリとの情報のやり取りが再開される（ステップＳ６８）。
【０１０１】
次に、プロセスカートリッジの第２不揮発性メモリに保持された認識番号が読み込まれる（ステップＳ６９）。
そして、その認識番号と、装置本体の第１不揮発性メモリに保持された認識番号とが、一致するかが判別される（ステップＳ７０）。
その結果、双方の認識番号が一致しない場合、さらにプロセスカートリッジにおける使用開始フラグの有無が判別される（ステップＳ７３）。
【０１０２】
その結果、使用開始フラグがあると判別された場合、そのカートリッジは別の画像形成装置で使用されていたことになるので、その旨を示すフラグをセットする（ステップＳ７４）。
さらに、カートリッジの交換があった旨を示すフラグをセットして（ステップＳ７５）、その後にドアオープンフラグ及び電源オンフラグをリセットして（ステップＳ７６）、本フローを終了する（ステップＳ７７）。ここで、電源オンフラグは、図３のメインＳＷ（電源スイッチ）をオンしたときにイニシャライズルーチンでセットされるフラグである。
【０１０３】
これに対して、ステップＳ７３にて、使用開始フラグがないと判別された場合には、カートリッジの交換があった旨を示すフラグをセットして（ステップＳ７５）、ステップＳ７６を経て本フローを終了する（ステップＳ７７）。
【０１０４】
他方、ステップＳ７０にて、双方の識別番号が一致すると判別された場合、第１不揮発メモリ及び第２不揮発性メモリのプロセスカートリッジの「リサイクル回数」に係わる情報が比較チェックされる（ステップＳ７８）。
その結果、双方のリサイクル回数が一致しない場合、リサイクルプロセスカートリッジフラグをセットして（ステップＳ７９）、ステップＳ７５及びステップＳ７６を経て、本フローを終了する（ステップＳ７７）。
また、ステップＳ７８にて、双方のリサイクル回数が一致する場合、プロセスカートリッジの交換がなかったものとして（ステップＳ７５をスキップして）、ステップＳ７６を経て本フローを終了する（ステップＳ７７）。
【０１０５】
また、ステップＳ６７にて、ドアオープンフラグがセットされていないと判別された場合、さらに電源オンフラグがリセットされているかが判別される（ステップＳ７１）。
その結果、電源オンフラグがリセットされていないと判別された場合、すなわち、電力供給がある場合、本フローを終了する（ステップＳ７２）。
これに対して、電源オンフラグがリセットされていると判別された場合、ステップＳ６８以降のフローを経て、本フローを終了する（ステップＳ７７）。
【０１０６】
次に、図１０及び図１１を用いて、上述の画像形成装置が接続される管理システムについて説明する。
先に図３で説明したように、本実施の形態の画像形成装置は、公衆通信回線又はインターネットに接続可能に構成されている。
図１０は複数の画像形成装置が公衆通信回線網を介して管理システムに接続されている状態を示す概念図であり、図１１は複数の画像形成装置がインターネットを介して管理システムに接続されている状態を示す概念図である。なお、図１０及び図１１の画像形成装置は、それぞれ、図１〜図９で説明した画像形成装置と同等のものである。
【０１０７】
図１０に示すように、２つの画像形成装置２１３、２１４は、ファクシミリ２２２とともに、通信コントロール装置２１０に接続されている。また、別の２つの画像形成装置２２３、２２４は、電話機２２０とともに、別の通信コントロール装置２２０に接続されている。そして、２つの通信コントロール装置２１０、２２０は、公衆通信回線２００を介して、管理センタとしての管理システム２０１に接続されている。
【０１０８】
このような構成により、複数の画像形成装置２１３、２１４、２２３、２２４と、それらの品質を管理する管理システム２０１とが、公衆通信回線２００を通じて情報のやり取りをおこなうことができる。
具体的には、管理システム２０１では、画像形成装置２１３、２１４、２２３、２２４における第１不揮発性メモリや第２不揮発性メモリに保持された情報を、公衆通信回線２００を介して取得することができる。これにより、管理システム２０１を操作する管理者は、遠方にいながら、画像形成装置２１３、２１４、２２３、２２４の品質状態をリアルタイムで正確に把握することができる。そして、それらの情報に基づいて、管理システム２０１から、画像形成装置２１３、２１４、２２３、２２４の品質状態を最適化するための情報（指定情報）を、公衆通信回線２００を介して画像形成装置２１３、２１４、２２３、２２４に送信する。これにより、管理システム２０１を操作する管理者は、遠方にいながら、画像形成装置２１３、２１４、２２３、２２４の品質状態を最適に調整することができる。
【０１０９】
なお、図１０に示すように、管理システム２０１はサービス委託会社２０２とも連携可能に構成されていて、さらに公衆通信回線２００にはサービスマンの所持する携帯電話機２３０、携帯端末２４０、自宅電話機２５０も接続されている。これにより、管理システム２０１は、画像形成装置２１３、２１４、２２３、２２４から取得した情報に基づいて、サービス委託会社２０２やサービスマンと連携をとって、より質の高いサービスをユーザーに提供することができる。
【０１１０】
他方、図１１に示すように、２つの画像形成装置３１３、３１４は、端末３１５とともに、ルータ３１０及びファイアウォール３１１に接続されていて、１つのＬＡＮを形成している。また、別の画像形成装置３２３は、端末３２４とともに、ルータ３２１及びケーブルモデム３２０に接続されていて、別のＬＡＮを形成している。さらに、管理システム３０２は、画像形成装置３０３とともに、ルータ３０１に接続されていて、管理センタとしてのＬＡＮを形成している。そして、それらのＬＡＮはすべてネットワークで接続されてインターネット３００を形成している。
【０１１１】
このような構成により、複数の画像形成装置３０３、３１３、３１４、３２３と、管理システム３０２とが、インターネット３００によって情報のやり取りをおこなうことができる。
具体的には、管理システム３０２では、画像形成装置３０３、３１３、３１４、３２３における第１不揮発性メモリや第２不揮発性メモリに保持された情報を、インターネット３００を介して取得することができる。これにより、管理システム３０２を操作する管理者は、遠方にいながら、画像形成装置３０３、３１３、３１４、３２３の品質状態をリアルタイムで正確に把握することができる。そして、それらの情報に基づいて、管理システム２０１から、画像形成装置３０３、３１３、３１４、３２３の品質状態を最適化するための情報（指定情報）を、インターネット３００を介して画像形成装置３０３、３１３、３１４、３２３に送信する。これにより、管理システム３０２を操作する管理者は、遠方にいながら、画像形成装置３０３、３１３、３１４、３２３の状態を最適に調整することができる。
【０１１２】
なお、図１１に示すように、管理システム３０２はサービス委託会社３０７とも連携可能に構成されていている。これにより、管理システム２０１は、画像形成装置３０３、３１３、３１４、３２３から取得した情報に基づいて、サービス委託会社３０７と連携をとって、より質の高いサービスをユーザーに提供することができる。
【０１１３】
以上述べたように、本実施の形態では、メーカー、リサイクル有無、バージョン、カラー等の種別が異なるプロセスカートリッジ２０が、装置本体１に交換設置された場合であっても、その状況を画像形成装置が認識して必要に応じて装置本体１を調整するので、常に最適な画像形成条件にて装置を稼働することができる。その際に、必要な情報は、その情報の性質に応じて、装置本体１の第１不揮発性メモリ１１１とプロセスカートリッジ２０の第２不揮発性メモリ１５３との書込み禁止領域、書込み可能領域、第２書込み可能領域の３つの階層にそれぞれ振り分けられて、情報のやり取りがされる。これにより、上述の装置本体１の調整に係わる制御が整理されるとともに、装置の品質を管理する管理者とは関係のない第三者による情報操作も防止される。さらに、情報の内容を表示部に表示することで装置の状態をユーザーが把握できるし、管理システム２０１、３０２との情報のやり取りによって装置を調整することも可能になるために、長期にわたり品質が高く、ユーザーが安心して使用できる画像形成装置を提供することができる。
【０１１４】
なお、本実施の形態では、画像形成装置本体１に設置される第１不揮発性メモリ１１１を、ＩＣソケットに着脱自在に搭載される単体のＩＣの構成とした。しかし、本発明の第１不揮発性メモリ１１１の構成は、これに限定されることなく、例えば、ＩＣソケットに対してそれぞれ着脱自在に設置されるＥＥＰＲＯＭ及びＳＲＡＭからなる構成とすることもできる。この場合、第１不揮発性メモリ１１１は、電源部としてのＰＳＵ１３５から装置本体１への電力供給が遮断されたとき（メインＳＷがオフのときである。）、ＳＲＡＭに保持された情報がＥＥＰＲＯＭに書込まれて保持されることになる。
【０１１５】
また、本実施の形態では、画像形成装置本体１に設置される第１不揮発性メモリ１１１は、制御部１００のエンジン制御ボード１１０に載置される構成としたが、本発明の適用はこれに限定されることはない。例えば、本発明の第１不揮発性メモリ１１１を、コントローラボード１０１に設置することもできるし、コントローラボード１０１とエンジン制御ボード１１０との双方に設置することもできる。
【０１１６】
また、本発明の適用は、本実施の形態の第１不揮発メモリ１１１及び第２不揮発性メモリ１５３の形態に限定されることなく、例えば、第１不揮発性メモリをＩＣタグとすることもできるし、第２不揮発性メモリをＩＣソケットに対して着脱されるＩＣとすることもできる。
【０１１７】
また、本実施の形態においては、装置本体１に交換可能に設置されるとともに第２不揮発性メモリを備えた装置ユニットを、プロセスカートリッジ２０とした。しかし、本発明の適用はこれに限定されることなく、装置ユニットであってユニット差によって画像形成装置の品質に差異が生じうるもののすべてに適用することができる。ここで、本願において、「装置ユニット」は、画像形成装置本体に対して交換自在に設置されるユニットと定義する。
例えば、装置ユニットとして、図１における光学ユニット２や転写ベルトユニット２４、３０や定着ユニット６６や給紙ユニット６１や、図２におけるトナーボトル３３（トナーカートリッジ）等に本発明が適用できる。また、プロセスカートリッジの形態をとらない画像形成装置においては、作像プロセスに係わる装置ユニットとしての、感光体ドラム、帯電ユニット、現像ユニット、クリーニングユニット、転写ユニット等の単一ユニットに本発明を適用できる。さらに、感光体ドラム、帯電部、現像部、クリーニング部、転写部のうちの、複数がユニット化された複合ユニット（プロセスカートリッジ以外の形態である。）にも本発明を適用できる。それらの場合、装置ユニットに、画像形成の品質に係わる必要な情報が保持された第２不揮発性メモリを搭載するとともに、第２不揮発性メモリに書込み禁止領域、書込み可能領域、第２書込み可能領域を設けることで、本実施の形態と同等の効果を得ることができる。
【０１１８】
さらに、本発明が上記実施の形態に限定されず、本発明の技術思想の範囲内において、実施の形態の中で示唆した以外にも、実施の形態は適宜変更され得ることは明らかである。また、上記構成部材の数、位置、形状等は上記実施の形態に限定されず、本発明を実施する上で好適な数、位置、形状等にすることができる。
【図面の簡単な説明】
【０１１９】
【図１】この発明の実施の形態における画像形成装置を示す構成図である。
【図２Ａ】図１の画像形成装置に設置されるプロセスカートリッジを示す断面図である。
【図２Ｂ】図２Ａのプロセスカートリッジが画像形成装置に設置された状態を示す断面図である。
【図３】図１の画像形成装置における制御部を示すブロック図である。
【図４】第２不揮発性メモリにおけるメモリマップである。
【図５】第１不揮発性メモリにおけるメモリマップである。
【図６】図１の画像形成装置における制御を示すフローチャートである。
【図７】第２不揮発性メモリへの情報の書込みに係わる制御を示すフローチャートである。
【図８】第１不揮発性メモリの書込み禁止領域／第２書込み可能領域への情報の書込みに係わる制御を示すフローチャートである。
【図９】プロセスカートリッジの交換チェックに係わる制御を示すフローチャートである。
【図１０】図１の画像形成装置と管理システムとが公衆通信回線を介して接続されている状態を示す概念図である。
【図１１】図１の画像形成装置と管理システムとがインターネットを介して接続されている状態を示す概念図である。
【符号の説明】
【０１２０】
１  画像形成装置本体（装置本体）、  ２  光学部（光学ユニット）、
２０、２０Ｙ、２０Ｍ、２０Ｃ、２０ＢＫ  プロセスカートリッジ、
２１  感光体ドラム（像担持体）、  ２２  帯電部、
２３  現像部、  ２４  転写ローラ（転写ベルトユニット）、
２５  クリーニング部、  ３０  転写ベルト（転写ベルトユニット）、
３２、３２Ｙ、３２Ｍ、３２Ｃ、３２ＢＫ  トナー供給部、
３３  トナーボトル（トナーカートリッジ）、
６１  給紙部（給紙ユニット）、  ６６  定着部（定着ユニット）、
８０  ＩＣタグ、  ９０  操作部、  １００  制御部、
１０１  コントローラボード、  １１０  エンジン制御ボード、
１１１  第１不揮発性メモリ、
１１２、１５４  書込み禁止領域、  １１３、１５５  書込み可能領域、
１１４、１５６  第２書込み可能領域、  １５２  ＣＰＵ、
１５３  第２不揮発性メモリ、  ２００  公衆通信回線、
２０１、３０２  管理システム、  ３００  インターネット。
【図１】
0004731799.tif 000002
【図２Ａ】
0004731799.tif 000003
【図２Ｂ】
0004731799.tif 000004
【図３】
0004731799.tif 000005
【図４】
0004731799.tif 000006
【図５】
0004731799.tif 000007
【図６】
0004731799.tif 000008
【図７】
0004731799.tif 000009
【図８】
0004731799.tif 000010
【図９】
0004731799.tif 000011
【図１０】
0004731799.tif 000012
【図１１】
0004731799.tif 000013